(57)【特許請求の範囲】
【請求項１】
自動販売機本体の前面開口を取り囲む上辺枠部と下辺枠部と左辺枠部と右辺枠部のうち、自動販売機本体に扉を枢支するヒンジから見て遠い側にある前記右辺枠部の主要部分と、前記上辺枠部の主要部分に、電気発熱線を耐熱性シリコンゴムと一体成形したラインヒータよりなる融雪ヒータを設置し、前記ヒンジ側である前記左辺枠部の全体と前記下辺枠部の全体と前記右辺枠部の下方部分と前記上辺枠部の前記ヒンジ寄り部分には融雪ヒータを設置していないと共に、右辺枠部分の融雪ヒータ部分は自動販売機本体１のスライダー受板４の内側に通され、上辺枠部分の融雪ヒータ部分は上辺枠部のガスケット５の内側部分に取付けられることを特徴とする融雪ヒータ付き自動販売機。
【発明の詳細な説明】
【技術分野】
【０００１】
本発明は、自動販売機と扉との間に着雪した雪塊が凍結することによって、扉の円滑な開放操作の障害とならないようにした融雪ヒータ付き自動販売機に関する。
【背景技術】
【０００２】
融雪ヒータ付きの自動販売機としては、ヒータをセンサー部とスイッチ部に設置し、解凍モードの制御部がデイライトセンサにより光入射口を通した設置場所の照度を測定・記憶した後、センサ用ヒータを所定時間オンにして光入射口を加熱し、再度光入射口を通した照度を測定・記憶し加熱前後の照度差が所定の値以上の場合に、スイッチ用ヒータを駆動して商品選択スイッチに付着した雪を溶かすようにしたものが知られている（特許文献１参照）。
【０００３】
また、他の融雪ヒータ付き自動販売機としては、前面を開口した自動販売機本体と、自動販売機本体の前面を開閉する外扉と、自動販売機本体の前面開口の全周部を加熱するヒータと、外気温度を検出する温度センサと、当該温度センサによって検出された温度が所定温度以下になったときに前記ヒータを起動させる制御手段とを備えたものが知られている（特許文献２参照）。
【０００４】
しかしながら、特許文献１に記載されたものは、雪が自動販売機本体の表面に付着し、商品選択スイッチの凍結により商品選択スイッチが押されてオン状態のままになるため、利用客がコインを投入すると同時に目的外の商品が払いだされたり、凍結した商品選択スイッチを利用客が押せないため、商品の選択操作ができなかったり、コイン投入口が凍結して利用客がコインの投入をできなかったりする等の不都合を解消することを課題としているだけであり、ヒータの設置箇所がセンサ部とスイッチ部であるため、自動販売機本体と扉との間に凍結が発生した場合には、対処が困難である。
【０００５】
また、特許文献２に記載されたものは、融雪、解凍の必要がないときにヒータを駆動しないことによって、自動販売機の消費電力の増加を防ぐことを課題としているが、ヒータは自動販売機本体の前面開口の全周部に設けられ、ヒータの全体長さが長くなっているため、ヒータ駆動が時間限定して行なわれるとしても、トータルの電力消費量を大幅に低減することは困難である。
【０００６】
【特許文献１】特開平６−２９５３７３号公報
【特許文献２】特開２００７−３４９６８号公報
【発明の開示】
【発明が解決しようとする課題】
【０００７】
本発明の課題は、融雪ヒータによる加熱領域を必要最小限の長さに限定することによって、扉内側や自動販売機本体内の商品格納空間や制御機器設置空間に対して設計段階の想定を超えた熱量を与えることなしに、扉の開放動作に支障となる着雪の凍結を効率良く的確に防止するようにした融雪ヒータ付き自動販売機を提供することである。
【課題を解決するための手段】
【０００８】
本発明の融雪ヒータ付き自動販売機の特徴は、自動販売機本体の前面開口を取り囲む上辺枠部と下辺枠部と左辺枠部と右辺枠部のうち、自動販売機本体に扉を枢支するヒンジから見て遠い側にある前記右辺枠部の主要部分と、前記上辺枠部の主要部分に、電気発熱線を耐熱性シリコンゴムと一体成形したラインヒータよりなる融雪ヒータを設置し、前記ヒンジ側である前記左辺枠部の全体と前記下辺枠部の全体と前記右辺枠部の下方部分と前記上辺枠部の前記ヒンジ寄り部分には融雪ヒータを設置していないと共に、右辺枠部分の融雪ヒータ部分は自動販売機本体１のスライダー受板４の内側に通され、上辺枠部分の融雪ヒータ部分は上辺枠部のガスケット５の内側部分に取付けられることである。
【発明の効果】
【０００９】
本発明の融雪ヒータ付き自動販売機装置では、融雪ヒータは自動販売機本体の前面開口を取り囲む上下左右の四つの枠部のうち、ヒンジから見て遠い側にある右辺枠部の主要部分と上辺枠部の主要部分に限って設置してあり、左辺枠部及び下辺枠部の全体と右辺枠部の下方部分並びに上辺枠部のヒンジ寄り部分の融雪ヒータを省略してあるため、融雪ヒータの全体の敷設長さが従来と比べて大幅に縮小されており、融雪用電力の消費量を確実に減少させて扉の開放動作に支障となる着雪の凍結を効率よく的確に防止することができる。
【００１０】
扉の開放動作は、ヒンジから最も遠い側に取り付けた扉用ロックハンドル装置を手前に引くことによって行なわれ、ヒンジ軸を支点とした梃子の力が自動販売機本体の左辺枠部分及び上辺枠部のヒンジ寄り部分に作用するため、当該各部分に着雪した雪塊が仮に凍結していても、前記梃子の力によって簡単に破壊され、扉の開放動作に悪影響を与えることがない。
また、自動販売機本体の下辺枠部には、降雪による雪塊が出来難い箇所であるから、融雪ヒータの設置がなくとも問題はない。仮に下辺枠部の全長にわたって雪塊の凍結があっても、それは比較的少量に留まるものであるから、前記した梃子の力によって破壊されるのである。
【００１１】
このように本発明では融雪ヒータの設置を必要最小限に抑制してあるため、扉や自動販売機本体に形成した商品格納空間や制御機器設置空間への熱伝導を最小限にとどめることができ、設計段階における想定を超えた熱量を与えることがなく、商品や機器類にとって不都合な熱的擾乱をもたらすことがない。
また、融雪ヒータ３は電気発熱線を耐熱性シリコンゴムと一体成形したラインヒータよりなるものであるが、右辺枠部分の融雪ヒータ部分は自動販売機本体１のスライダー受板４の内側に通され、上辺枠部分の融雪ヒータ部分は上辺枠部のガスケット５の内側部分に取付けられるため、融雪ヒータ３が扉２の閉鎖時に扉２と自動販売機本体１との間に圧迫され、機械的外力の付加によって断線事故を招くことがない。
【実施例】
【００１２】
図示の実施例では、融雪ヒータ３としては、電気発熱線を耐熱性シリコンゴムと一体成形したラインヒータが使用されている。このラインヒータは、防水性、電気絶縁性、耐熱性及び耐寒性に優れたものであり、柔軟性に富んでいるため、設置箇所の具体的形状や構造に応じて適宜曲げ変形して設置され、自動販売機本体１の前記枠部にはアルミテープなどの固定手段によって取付け保持される。
【００１３】
ラインヒータよりなる融雪ヒータ３は、扉２の閉鎖時に扉２と自動販売機本体１との間に圧迫され、機械的外力の付加によって断線事故を招くことがないように留意して設置される。右辺枠部分の融雪ヒータ部分は自動販売機本体１にスライダー受板４の内側に通される。また、上辺枠部分の融雪ヒータ部分は上辺枠部のガスケット５の内側部分に取付けられる。
扉２を自動販売機本体１に対して枢支するヒンジ９は、自動販売機の左端に設置されている。また、扉用ロックハンドル装置１０は自動販売機の右端に設置されている。
ヒンジが自動販売機の右端に設置され、扉用ロックハンドル装置１０が自動販売機の左端に設置されている。上記した左辺枠部と右辺枠部に関連する各記述は、当然のことながら真逆のものとして理解しなければならない。
【００１４】
本発明は新規製作の自動販売機にも既存の自動販売機にも適用されるものであるが、既存の自動販売機に適用するときには、自動販売機本体１側の前記スライダー受板４は事前に取外され、融雪ヒータ３を敷設してアルミテープで固定した後、スライダー受板が取付け直される。また、既存の自動販売機に適用するとき、上辺枠部分のガスケット５は事前に取外され、融雪ヒータを敷設してアルミテープで固定した後、ガスケット５が取付け直される。
【００１５】
融雪ヒータ３の本体部分を自動販売機本体１の限定箇所に設置した後、融雪ヒータ３の末端プラグ６がサーモコントロール部品７のコンセントに接続され、サーモコントロール部品７のプラグ８が自動販売機本体１のサービスコンセントに接続される。
図示の自動販売機は単に一例を示しただけであり、前面開口の上下左右の各枠部の配置形態、ガスケットの形状と配置形態、およびスライダー受板の形状と配置箇所などは自動販売機によって種々変更される。
【図面の簡単な説明】
【００１６】
【図１】本発明の一実施例に係る融雪ヒータ付き自動販売機の扉閉鎖時の正面側からの斜視図である。
【図２】図１の自動販売機の扉開放時の正面側からの斜視図である。
【符号の説明】
【００１７】
１  自動販売機本体
２  扉
３  融雪ヒータ
４  スライダー受板
５  ガスケット
６  融雪ヒータの末端プラグ
７  サーモコントロール部品
８  サーモコントロール部品のプラグ
９  ヒンジ
１０  扉用ロックハンドル装置
【図１】
0004404318.tif 000002
【図２】
0004404318.tif 000003